(57)【要約】【課題】ユーザによる特徴画像の見逃しを防止することを可能とする画像表示装置、画像表示方法および画像表示プログラムを提供すること。【解決手段】本発明にかかる画像表示装置４は、複数の画像を含む画像群Ｐａを順次表示する表示部３０を備えた画像表示装置において、表示部３０に画像群Ｐａにおける画像を順次表示させる表示制御部５２と、音声を出力する音声出力部６０と、表示制御部５２が表示部３０に画像群Ｐａにおける特徴画像を表示させる場合に、特徴画像が表示されることを知らせる通知音を音声出力部６０に出力させる音声制御部５３と、を備えたことを特徴とする。【選択図】      図２
2006129950.tif 000002
【特許請求の範囲】
【請求項１】
複数の画像を順次表示する表示手段を備えた画像表示装置において、
前記表示手段に前記複数の画像を順次表示させる表示制御手段と、
音声を出力する音声出力手段と、
前記表示制御手段が前記表示手段に前記複数の画像における所定画像を表示させる場合に、前記所定画像が表示されることを知らせる通知音を前記音声出力手段に出力させる音声制御手段と、
を備えたことを特徴とする画像表示装置。
【請求項２】
前記音声制御手段は、前記表示制御手段が前記表示手段に前記所定画像を表示させる前に該所定画像の表示を予告する予告音、前記表示制御手段が前記表示手段に前記所定画像を表示させる時に該所定画像が表示されていることを報知する報知音、または、前記表示制御手段が前記表示手段に前記所定画像を表示させた後に該所定画像の表示が終了したことを報知する終了音の少なくともいずれか一つを前記通知音として前記音声出力手段に出力させることを特徴とする請求項１に記載の画像表示装置。
【請求項３】
前記音声制御手段は、前記通知音として、前記予告音、前記報知音および前記終了音の少なくとも二つを組み合わせて前記音声出力手段に出力させることを特徴とする請求項２に記載の画像表示装置。
【請求項４】
前記音声制御手段は、それぞれ異なる音量、音程、音色、音声出力パターンあるいはこれらの組み合わせで前記予告音、前記報知音および／または前記終了音を前記音声出力手段に出力させることを特徴とする請求項２または３に記載の画像表示装置。
【請求項５】
前記音声制御手段は、前記音声出力手段に出力させる前記予告音および／または前記終了音の音量、音程、音色、音声出力パターンあるいはこれらの組み合わせを、前記所定画像と前記表示手段に表示されている画像との表示間隔に応じて変えることを特徴とする請求項２〜４のいずれか一つに記載の画像表示装置。
【請求項６】
前記複数の画像の画像ごとに所定の特徴を表す特徴量を取得し、前記複数の画像の中から所定の閾値に基づく前記特徴量を有する画像を前記所定画像として抽出する抽出手段をさらに備えたことを特徴とする請求項１〜５のいずれか一つに記載の画像表示装置。
【請求項７】
前記音声制御手段は、前記所定画像における前記抽出手段によって取得された前記特徴量に対応した音量、音程、音色、音声出力パターンあるいはこれらの組み合わせで前記通知音を前記音声出力手段に出力させることを特徴とする請求項６に記載の画像表示装置。
【請求項８】
前記抽出手段は、前記所定の閾値を複数設け、前記複数の画像から各閾値に基づく前記特徴量を有する画像を前記所定画像として抽出し、
前記音声制御手段は、前記抽出手段で設けられた前記所定の閾値にそれぞれ対応した音量、音程、音色、音声出力パターンあるいはこれらの組み合わせで前記通知音を前記音声出力手段に出力させることを特徴とする請求項６または７に記載の画像表示装置。
【請求項９】
複数の画像を順次表示する表示手段を備えた画像表示装置において、
前記表示手段に前記複数の画像を順次表示させる表示制御手段と、
振動を発生する振動手段と、
前記表示制御手段が前記表示手段に前記複数の画像における所定画像を表示させる場合に、前記所定画像が表示されることを知らせる通知振動を前記振動手段に発生させる振動制御手段と、
を備えたことを特徴とする画像表示装置。
【請求項１０】
前記振動制御手段は、前記表示制御手段が前記表示手段に前記所定画像を表示させる前に該所定画像の表示を予告する予告振動、前記表示制御手段が前記表示手段に前記所定画像を表示させる時に該所定画像が表示されていることを報知する報知振動、または、前記表示制御手段が前記表示手段に前記所定画像を表示させた後に該所定画像の表示が終了したことを報知する終了振動の少なくともいずれか一つを前記通知振動として前記振動手段に発生させることを特徴とする請求項９に記載の画像表示装置。
【請求項１１】
前記複数の画像は、被検体内部を撮像した画像であることを特徴とする請求項１〜１０のいずれか一つに記載の画像表示装置。
【請求項１２】
複数の画像を順次表示する画像表示方法において、
前記複数の画像を順次表示する表示ステップと、
前記表示ステップにおいて前記複数の画像における所定画像が表示される場合に、前記所定画像の表示を知らせる通知音を出力する音声出力ステップと、
を含むことを特徴とする画像表示方法。
【請求項１３】
複数の画像を順次表示する画像表示方法において、
前記複数の画像を順次表示する表示ステップと、
前記表示ステップにおいて前記複数の画像における所定画像が表示される場合に、前記所定画像の表示を知らせる通知振動を発生する振動ステップと、
を含むことを特徴とする画像表示方法。
【請求項１４】
複数の画像を順次表示する画像表示プログラムにおいて、
前記複数の画像を順次表示する表示手順と、
前記表示手順において前記複数の画像における所定画像が表示される場合に、前記所定画像の表示を知らせる通知音を出力する音声出力手順と、
を含むことを特徴とする画像表示プログラム。
【請求項１５】
複数の画像を順次表示する画像表示プログラムにおいて、
前記複数の画像を順次表示する表示手順と、
前記表示手順において前記複数の画像における所定画像が表示される場合に、前記所定画像の表示を知らせる通知振動を発生する振動手順と、
を含むことを特徴とする画像表示プログラム。
【発明の詳細な説明】
【技術分野】
【０００１】
この発明は、複数の画像を順次表示する画像表示装置、画像表示方法および画像表示プログラムに関する。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、たとえば、胃、小腸などの臓器の内部をその蠕動運動にしたがって移動し、移動にともない、たとえば０．５秒間隔で被検体内画像の撮像を行う機能を有する。
【０００３】
体腔内を移動する間、カプセル型内視鏡によって撮像された画像データは、順次無線通信により外部に送信され、外部に設けられたメモリに蓄積される。無線通信機能とメモリ機能とを備えた受信機を携帯することにより、被検体は、カプセル型内視鏡を飲込んだ後、排出されるまでの間にわたって、自由に行動できる。カプセル型内視鏡が排出された後、医者もしくは看護師においては、メモリに蓄積された画像データに基づいて臓器の画像をディスプレイに表示させて診断を行うことができる（特許文献１参照）。
【０００４】
【特許文献１】特開２００３−１９１１１号公報
【発明の開示】
【発明が解決しようとする課題】
【０００５】
ところで、近年、カプセル型内視鏡によって撮像された画像の中から、画像処理によって、たとえば出血部位を含む可能性が高い特徴画像を抽出する技術が提案されている。この抽出技術においては、画像内に赤色領域が含まれる割合を数値化した赤色レベル値を求める。そして、従来の抽出技術において、所定の閾値に基づく赤色レベル値を有する画像を、出血部位を含む可能性が高い特徴画像として抽出する。従来の画像表示装置では、カプセル型内視鏡によって撮像された画像を順次表示する際に、抽出された特徴画像に所定のマーキング等を付して表示していた。ユーザである医師もしくは看護師は、このマーキング等の有無によって、表示された画像が出血部位を含む可能性が高い特徴画像であるか否かを判断し、診察を行っていた。ここで、カプセル型内視鏡は、通常の内視鏡と異なり被検者が飲込んで自然に排出されるまでの期間、各臓器を撮像するため、観察（検査）時間が長時間に及び、膨大な枚数の画像を撮像する。ユーザは、このような膨大な画像の中から特徴画像を把握するために、ディスプレイに表示される画像を一枚ずつ確認する必要があった。したがって、ユーザは、撮像された画像の確認時間に多くの時間を費やしており、ユーザにとって画像確認は大きな負担となっていた。しかしながら、画像確認時間の短縮のためディスプレイに表示される画像の表示レートを速くした場合、一枚の画像の表示時間が少なくなってしまう。この結果、ユーザは、特徴画像を見逃す場合があり、正確な診断を行うことができない場合があった。
【０００６】
この発明は、上記した従来技術の欠点に鑑みてなされたものであり、ユーザによる特徴画像の見逃しを防止することを可能とする画像表示装置、画像表示方法および画像表示プログラムを提供することを目的とする。
【課題を解決するための手段】
【０００７】
上述した課題を解決し、目的を達成するために、この発明にかかる画像表示装置は、複数の画像を順次表示する表示手段を備えた画像表示装置において、前記表示手段に前記複数の画像を順次表示させる表示制御手段と、音声を出力する音声出力手段と、前記表示制御手段が前記表示手段に前記複数の画像における所定画像を表示させる場合に、前記所定画像が表示されることを知らせる通知音を前記音声出力手段に出力させる音声制御手段と、を備えたことを特徴とする。
【０００８】
また、この発明にかかる画像表示装置は、前記音声制御手段は、前記表示制御手段が前記表示手段に前記所定画像を表示させる前に該所定画像の表示を予告する予告音、前記表示制御手段が前記表示手段に前記所定画像を表示させる時に該所定画像が表示されていることを報知する報知音、または、前記表示制御手段が前記表示手段に前記所定画像を表示させた後に該所定画像の表示が終了したことを報知する終了音の少なくともいずれか一つを前記通知音として前記音声出力手段に出力させることを特徴とする。
【０００９】
また、この発明にかかる画像表示装置は、前記音声制御手段は、前記通知音として、前記予告音、前記報知音および前記終了音の少なくとも二つを組み合わせて前記音声出力手段に出力させることを特徴とする。
【００１０】
また、この発明にかかる画像表示装置は、前記音声制御手段は、それぞれ異なる音量、音程、音色、音声出力パターンあるいはこれらの組み合わせで前記予告音、前記報知音および／または前記終了音を前記音声出力手段に出力させることを特徴とする。
【００１１】
また、この発明にかかる画像表示装置は、前記音声制御手段は、前記音声出力手段に出力させる前記予告音および／または前記終了音の音量、音程、音色、音声出力パターンあるいはこれらの組み合わせを、前記所定画像と前記表示手段に表示されている画像との表示間隔に応じて変えることを特徴とする。
【００１２】
また、この発明にかかる画像表示装置は、前記複数の画像の画像ごとに所定の特徴を表す特徴量を取得し、前記複数の画像の中から所定の閾値に基づく前記特徴量を有する画像を前記所定画像として抽出する抽出手段をさらに備えたことを特徴とする。
【００１３】
また、この発明にかかる画像表示装置は、前記音声制御手段は、前記所定画像における前記抽出手段によって取得された前記特徴量に対応した音量、音程、音色、音声出力パターンあるいはこれらの組み合わせで前記通知音を前記音声出力手段に出力させることを特徴とする。
【００１４】
また、この発明にかかる画像表示装置は、前記抽出手段は、前記所定の閾値を複数設け、前記複数の画像から各閾値に基づく前記特徴量を有する画像を前記所定画像として抽出し、前記音声制御手段は、前記抽出手段で設けられた前記所定の閾値にそれぞれ対応した音量、音程、音色、音声出力パターンあるいはこれらの組み合わせで前記通知音を前記音声出力手段に出力させることを特徴とする。
【００１５】
また、この発明にかかる画像表示装置は、複数の画像を順次表示する表示手段を備えた画像表示装置において、前記表示手段に前記複数の画像を順次表示させる表示制御手段と、振動を発生する振動手段と、前記表示制御手段が前記表示手段に前記複数の画像における所定画像を表示させる場合に、前記所定画像が表示されることを知らせる通知振動を前記振動手段に発生させる振動制御手段と、を備えたことを特徴とする。
【００１６】
また、この発明にかかる画像表示装置は、前記振動制御手段は、前記表示制御手段が前記表示手段に前記所定画像を表示させる前に該所定画像の表示を予告する予告振動、前記表示制御手段が前記表示手段に前記所定画像を表示させる時に該所定画像が表示されていることを報知する報知振動、または、前記表示制御手段が前記表示手段に前記所定画像を表示させた後に該所定画像の表示が終了したことを報知する終了振動の少なくともいずれか一つを前記通知振動として前記振動手段に発生させることを特徴とする。
【００１７】
また、この発明にかかる画像表示装置は、前記複数の画像は、被検体内部を撮像した画像であることを特徴とする。
【００１８】
また、この発明にかかる画像表示方法は、複数の画像を順次表示する画像表示方法において、前記複数の画像を順次表示する表示ステップと、前記表示ステップにおいて前記複数の画像における所定画像が表示される場合に、前記所定画像の表示を知らせる通知音を出力する音声出力ステップと、を含むことを特徴とする。
【００１９】
また、この発明にかかる画像表示方法は、複数の画像を順次表示する画像表示方法において、前記複数の画像を順次表示する表示ステップと、前記表示ステップにおいて前記複数の画像における所定画像が表示される場合に、前記所定画像の表示を知らせる通知振動を発生する振動ステップと、を含むことを特徴とする。
【００２０】
また、この発明にかかる画像表示プログラムは、複数の画像を順次表示する画像表示プログラムにおいて、前記複数の画像を順次表示する表示手順と、前記表示手順において前記複数の画像における所定画像が表示される場合に、前記所定画像の表示を知らせる通知音を出力する音声出力手順と、を含むことを特徴とする。
【００２１】
また、この発明にかかる画像表示プログラムは、複数の画像を順次表示する画像表示プログラムにおいて、前記複数の画像を順次表示する表示手順と、前記表示手順において前記複数の画像における所定画像が表示される場合に、前記所定画像の表示を知らせる通知振動を発生する振動手順と、を含むことを特徴とする。
【発明の効果】
【００２２】
本発明によれば、複数の画像における所定画像が表示手段に表示される場合に、この所定画像が表示されることを知らせる通知音を出力する。ユーザは、この通知音を確認することによって、表示手段に所定画像が表示されることを認識することができるため、本発明によれば、ユーザによる画像確認時における所定画像の見逃しを防止することができる。
【発明を実施するための最良の形態】
【００２３】
以下、図面を参照して、この発明の実施の形態である画像表示装置について説明する。なお、この実施の形態によりこの発明が限定されるものではない。また、図面の記載において、同一部分には同一の符号を付している。また、本実施の形態にかかる画像表示装置として、カプセル型内視鏡を用いた被検体内情報取得システムにおける画像表示装置を例として説明する。
【００２４】
（実施の形態１）
まず、実施の形態１にかかる画像表示装置について説明する。実施の形態１にかかる画像表示装置は、格納された複数の画像から所定の抽出条件で予め抽出された抽出画像が表示されることを予告させる予告音を出力して、ユーザの特徴画像に対する注意を促している。
【００２５】
図１は、本実施の形態における被検体内情報取得システムの全体構成を示す模式図である。図１に示すように、本実施の形態１における被検体内情報取得システムは、受信機能を有する受信装置２と、被検体１の体内に導入され、体腔内画像を撮像して受信装置２に対してデータ送信を行うカプセル型内視鏡３とを備える。また、被検体内情報取得システムは、受信装置２が受信したデータに基づいて体腔内画像を表示する画像表示装置４と、受信装置２と画像表示装置４との間のデータ受け渡しを行うための携帯型記録媒体５とを備える。受信装置２は、被検体１によって着用される受信ジャケット２ａと、受信ジャケット２ａを介して送受信される無線信号の処理等を行う外部装置２ｂとを備える。
【００２６】
画像表示装置４は、カプセル型内視鏡３によって撮像された体腔内画像を表示するためのものであり、携帯型記録媒体５によって得られるデータに基づいて画像表示を行うワークステーション等を有する。画像表示装置４は、カプセル型内視鏡３が撮像した複数の静止画像をフレーム番号にしたがって順次表示する。以下、この順次表示された画像を擬似動画像という。なお、画像表示装置４は、静止画像を１枚ずつ順次表示するほか、静止画像を複数枚ずつ順次表示してもよい。
【００２７】
携帯型記録媒体５は、外部装置２ｂおよび画像表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終った後には、外部装置２ｂから取り出されて画像表示装置４に挿着され、画像表示装置４によって記録したデータが読み出される構成を有する。外部装置２ｂと画像表示装置４との間のデータの受け渡しは、コンパクトフラッシュ（登録商標）メモリ等の携帯型記録媒体５によって行う構成をとる以外にも、外部装置２ｂと画像表示装置４との間を有線接続する構成をとることも可能である。
【００２８】
ここで、図２を参照して画像表示装置４について説明する。図２は、図１に示す画像表示装置４の概略構成を示すブロック図である。図２に示すように、画像表示装置４は、入力部２０、表示部３０、記憶部４０、制御部５０、音声出力部６０を備える。
【００２９】
入力部２０は、キーボードやマウスなどのポインティングデバイスなどによって実現され、画像表示装置４の動作指示および画像表示装置４が行なう処理の指示情報を制御部５０に出力する。
【００３０】
表示部３０は、ＣＲＴディスプレイ、液晶ディスプレイ等によって実現され、入力部２０の指示情報あるいは指示結果などを表示する。また、表示部３０は、制御部５０における表示制御部５２の制御のもと、擬似動画像としてカプセル型内視鏡３が撮像した複数の静止画像をフレーム番号にしたがって順次表示する。
【００３１】
記憶部４０は、たとえばハードディスク装置などによって実現される。記憶部４０には、画像情報を含む各種情報が記憶される。たとえば、フォルダＦ１内には、カプセル型内視鏡３によって撮像された画像群Ｐａが格納される。また、フォルダＦ２内には、画像処理部５１の画像処理によって生成された情報が格納される。たとえば、フォルダＦ２には、画像群Ｐａの各画像のフレーム番号と赤色レベル値などの特徴量とを対応させたテーブルＴａが格納される。
【００３２】
制御部５０は、入力部２０、表示部３０、記憶部４０、音声出力部６０の各処理または動作を制御する。制御部５０は、画像処理部５１と、表示制御部５２と、音声制御部５３と、音声生成部５４とを備える。
【００３３】
画像処理部５１は、画像群Ｐａに含まれる画像等を処理し、画像群Ｐａの画像ごとに所定の特徴を表す特徴量を取得する。画像処理部５１は、特願２００４−１２０３６７に示すように、画像情報の中に所定の色情報に該当する領域が含まれていた場合、この所定の色情報が含まれる領域の割合を数値化した特徴量を取得する。そして、画像処理部５１は、取得した各画像の特徴量をもとに、所定の閾値に基づく特徴量を有する画像を特徴画像として抽出する。たとえば、画像処理部５１は、画像情報の色情報のうち、赤色情報の有無および分布をもとに画像全体に占める赤色情報の割合を求め、この割合を数値化した赤色レベル値を特徴量として取得する。そして、画像処理部５１は、取得した各画像の赤色レベル値が所定の閾値を超えていた場合には、この画像に出血部がある可能性が高いと判断し、特徴画像として抽出する。この場合、図２に示すように、画象処理部５１は、画像群Ｐａの各画像のフレーム番号と赤色レベル値などの特徴量とを対応させたテーブルＴａを生成する。また、画像処理部５１は、このテーブルＴａに、特徴画像として抽出した画像のフレーム番号に特徴画像である旨を示すフラグを付与し、出力する。たとえば、テーブルＴａにおいて、フラグ「１」は、特徴画像であることを示し、フラグ「０」は、特徴画像でないことを示す。
【００３４】
表示制御部５２は、表示部３０における表示処理を制御する。表示制御部５２は、表示部３０に対して、テーブルＴａなどの特徴画像情報を参照し、フォルダＦ１に格納された画像群Ｐａをフレーム番号順に順次表示させる。
【００３５】
音声制御部５３は、テーブルＴａなどの特徴画像情報を参照し、音声出力部６０における音声出力処理を制御する。音声制御部５３は、表示制御部５２が表示部３０に画像群Ｐａにおける特徴画像を表示させる場合に、この特徴画像が表示されることを知らせる通知音を音声出力部６０に出力させる。音声制御部５３は、表示制御部５２が特徴画像を表示部３０に表示させる前に特徴画像の表示を予告する所定の予告音、音声制御部５３は、表示制御部５２が特徴画像を表示部３０に表示させる時に特徴画像が表示されていることを報知する所定の報知音、または、表示制御部５２が特徴画像を表示部３０に表示させた後に特徴画像の表示が終了したことを報知する所定の終了音を通知音として音声出力部６０に出力させる。これらの予告音、報知音、終了音は、それぞれ異なる音量、音程、音色、音声出力パターンあるいはこれらの組み合わせである。また、音声制御部５３は、音声生成部５４における音声生成処理を制御する。
【００３６】
音声生成部５４は、音声制御部５３の制御のもと、音声出力部６０から出力される各種音声を生成する。通過音である予告音、終了音および報知音は、それぞれ音声生成部５４によって生成される。
【００３７】
音声出力部６０は、スピーカー等を用いて実現され、音声制御部５３のもと、予告音、終了音、報知音を通知音として出力する。音声出力部６０は、表示部３０に特徴画像が表示される前に、予告音を出力し、特徴画像がこれから表示されることを報知する。音声出力部６０は、表示部３０に特徴画像が表示される時に、報知音を出力し、特徴画像が表示されていることを報知する。また、音声出力部６０は、表示部３０に特徴画像が表示された後に、終了音を出力し、既に特徴画像の表示が終了し、特徴画像の表示が通過したことを報知する。
【００３８】
つぎに、図３を参照して、制御部５０による各構成部の制御手順について、記憶部４０に記憶された画像群Ｐａを表示する場合を例に説明する。図３において、まず、画像処理部５１は、フォルダＦ１に格納された画像群Ｐａの画像情報を取得する（ステップＳ１０２）。画像処理部５１は、取得した画像群Ｐａの各画像情報をもとに、各画像の特徴量を取得し、所定の閾値に基づく特徴量を有する画像を特徴画像として抽出する特徴画像抽出処理を行う（ステップＳ１０４）。画像処理部５１は、各画像のフレーム番号に各画像の特徴量と特徴画像であるか否かを示すフラグを付与したテーブルＴａを生成し、出力する。
【００３９】
その後、表示制御部５２は、擬似動画像の表示を指示する指示情報を受信したか否かを判断する（ステップＳ１０６）。表示制御部５２が擬似動画像の表示を指示する指示情報を受信しないと判断した場合（ステップＳ１０６：Ｎｏ）、制御部５０は、画像群Ｐａに対する画像処理を終了する。一方、表示制御部５２は、擬似動画像の表示を指示する指示情報を受信したと判断した場合（ステップＳ１０６：Ｙｅｓ）、記憶部４０から、表示対象である画像群Ｐａの画像情報を抽出する（ステップＳ１０８）。そして、制御部５０は、記憶部４０からテーブルＴａを特徴画像情報として抽出する（ステップＳ１１０）。その後、表示制御部５２は、表示対象となる画像のフレーム番号を初期化する（ステップＳ１１２）。そして、表示制御部５２は、表示部３０に、次に表示対象である画像を表示させ（ステップＳ１１４）、擬似動画像表示を行う。
【００４０】
つぎに、音声制御部５３は、制御部５０が抽出したテーブルＴａを参照し、表示部３０に表示された画像が、特徴画像または特徴画像の所定数の前後フレームの画像であるか否かを判断する（ステップＳ１１６）。音声制御部５３は、表示部３０に表示された画像が、特徴画像または特徴画像の所定数の前後フレームの画像であると判断した場合（ステップＳ１１６：Ｙｅｓ）、音声出力部６０に対して、表示部３０に特徴画像が表示されることを知らせる通知音を出力する音声出力処理を行う（ステップＳ１１８）。表示制御部５２は、音声制御部５３が、表示部３０に表示された画像が特徴画像または特徴画像の所定数の前後フレームの画像でないと判断した場合（ステップＳ１１６：Ｎｏ）、または、音声出力部６０における音声出力処理（ステップＳ１１８）が終了した場合、フレーム番号に、表示部３０に表示した画像の枚数に対応する数値を加算する（ステップＳ１２０）。
【００４１】
その後、表示制御部５２は、入力部２０から擬似動画像の表示終了を指示する指示情報を受信したか否かを判断し（ステップＳ１２２）、この指示情報を受信した場合には（ステップＳ１２２：Ｙｅｓ）、表示部３０における擬似動画像表示を終了させる。これに対し、表示制御部５２は、入力部２０から擬似動画像の表示終了を指示する指示情報を受信しないと判断した場合（ステップＳ１２２：Ｎｏ）、表示部３０において画像群Ｐａの最終画像まで表示したか否かを判断する（ステップＳ１２４）。表示制御部５２は、表示部３０において画像群Ｐａの最終画像まで表示したと判断した場合（ステップＳ１２４：Ｙｅｓ）、表示部３０における擬似動画像表示を終了させる。一方、表示制御部５２は、表示部３０において画像群Ｐａの最終画像まで表示していないと判断した場合（ステップＳ１２４：Ｎｏ）、ステップＳ１１４に進み、画像群Ｐａのうち次に表示対象となる画像を表示部３０に表示させ、表示部３０に擬似動画像の表示を継続させる。
【００４２】
つぎに、図４を参照して、図３に示す音声出力処理について説明する。図４は、図３に示す音声出力処理の処理手順を示すフローチャートである。図４に示すように、音声制御部５３は、テーブルＴａと表示部３０に表示された画像のフレーム番号とを参照し、表示部３０に表示された画像が、特徴画像、特徴画像の前フレームの画像または特徴画像の後フレームの画像であるかを判断する（ステップＳ１４２）。
【００４３】
音声制御部５３は、表示部３０に表示された画像が特徴画像の前フレームの画像であると判断した場合（ステップＳ１４２：前フレームの画像）、音声出力部６０に対して、通知音として、所定の予告音を出力させ、音声出力部６０は、予告音を出力し（ステップＳ１４４）、音声出力処理を終了する。なお、この予告音は、音声生成部５４によって生成されたものである。
【００４４】
また、音声制御部５３は、表示部３０に表示された画像が特徴画像であると判断した場合（ステップＳ１４２：特徴画像）、音声出力部６０に対して、通知音として、報知音を出力させ、音声出力部６０は、報知音を出力し（ステップＳ１４６）、音声出力処理を終了する。なお、この報知音は、音声生成部５４によって生成されたものである。
【００４５】
また、音声制御部５３は、表示部３０に表示された画像が特徴画像の後フレームの画像であると判断した場合（ステップＳ１４２：後フレームの画像）、音声出力部６０に対して、通知音として所定の終了音を出力させ、音声出力部６０は、終了音を出力し（ステップＳ１４８）、音声出力処理を終了する。なお、この終了音は、音声生成部５４によって生成されたものである。
【００４６】
つぎに、音声出力処理において音声出力部６０から出力される予告音、報知音および終了音の一例について説明する。音声制御部５２は、音声出力部６０に出力させる予告音、終了音の音量を、特徴画像と表示部３０に表示されている画像との表示間隔に応じて変えている。図５は、表示部３０に表示される画像のフレーム番号と音声出力部６０から出力される音声の音量段階との関係を示した図である。図５では、横軸に、表示部３０に表示される画像のフレーム番号を示し、縦軸に、音声出力部６０から出力される音声の音量段階を示す。音量段階が上がるほど音声出力部６０から出力される音量が大きくなる。また、図５では、フレーム番号が「１０」である画像が、画像処理部５１によって抽出された特徴画像である場合について示す。また、図５では、画像表示装置４が特徴画像の前後５フレームの画像に対して予告音、終了音を出力する場合を例に説明する。
【００４７】
図５に示すように、特徴画像が前後５フレーム内の画像でないフレーム番号「１」から「４」の画像が表示部３０に表示される期間Ｔａにおいて、音声制御部５３は、音声出力部６０に音声の出力を指示せず、音声出力部６０は、音声を出力しない。
【００４８】
これに対し、音声制御部５３は、特徴画像の５フレーム前のフレーム番号「５」の画像から特徴画像の前フレームのフレーム番号「９」の画像が表示部３０に表示される期間Ｔｂにおいて、音声出力部６０に予告音を出力させる。音声出力部６０は、表示部３０に表示される画像のフレーム番号が特徴画像のフレーム番号に近づくにしたがって音量を段階的に上げた予告音を出力する。具体的には、音声出力部６０は、特徴画像の５フレーム前のフレーム番号「５」の画像が表示された場合に、段階「Ｖ１」の音量で音声出力を開始させる。その後、音声制御部５３は、フレーム番号「６」の画像が表示された場合、音量段階を「Ｖ１」から「Ｖ２」に上げる。音声制御部５３は、表示部３０に表示される画像のフレーム番号が進むにしたがって音量を段階的に上げる。
【００４９】
このように、画像表示装置４は、特徴画像が表示される前から、特徴画像の表示を予告する予告音を出力し、さらに、表示部３０に表示される画像が特徴画像に近づくにしたがって予告音の音量を段階的に上げることによって、ユーザに特徴画像が表示されることを報知する。ユーザは、この予告音を確認することによって、特徴画像が表示されることを予測することができ、表示部３０に表示される画像に注意を向けることとなる。したがって、画像表示装置４は、予告音を出力することによって、ユーザによる特徴画像の見逃しを防止することができる。
【００５０】
そして、音声制御部５３は、特徴画像であるフレーム番号「１０」の画像が表示される期間Ｔｃにおいて、音声出力部６０に対して、報知音を出力させる。音声制御部５３は、たとえば、報知音として、最大音量段階「Ｖ６」の音声を音声出力部６０に出力させる。このように、画像表示装置４は、特徴画像が表示された場合に、最大音量の音声を出力することによって、ユーザに特徴画像が表示されていることを報知する。この結果、ユーザは、特徴画像が表示されていることを認識することができる。したがって、画像表示装置４は、報知音を出力することによって、ユーザによる特徴画像の見逃しを防止することができる。
【００５１】
さらに、音声制御部５３は、特徴画像の後フレームであるフレーム番号「１１」の画像から５フレーム後のフレーム番号「１５」の画像が表示される期間Ｔｄにおいて、音声出力部６０に終了音を出力させる。音声出力部６０は、表示部３０に表示される画像フレーム番号が特徴画像のフレーム番号から離れるにしたがって音量を段階的に下げた終了音を出力する。具体的には、音声出力部６０は、特徴画像のフレーム番号の後のフレーム番号「１１」の画像が表示された場合、音量段階「Ｖ６」から「Ｖ５」に下げた終了音を出力する。その後、音声出力部６０は、次にフレーム番号「１２」の画像が表示された場合、音量段階を「Ｖ５」から「Ｖ４」に下げる。
【００５２】
このように、画像表示装置４は、特徴画像が表示された後、特徴画像の表示が終了したことを報知させる終了音を出力し、さらに、表示部３０に表示される画像が特徴画像から離れるにしたがって終了音を段階的に下げることによって、特徴画像の表示が終了したことをユーザに報知する。この結果、ユーザは、終了音を確認することによって特徴画像が表示されたことを認識することができ、特徴画像を見逃した場合であっても、見逃した特徴画像を再度確認するために、表示部３０に表示される画像を調整することができる。
【００５３】
上述したように、本実施の形態１にかかる画像表示装置４は、表示部３０に、特徴画像が表示されることを予告する予告音、特徴画像が表示されていることを報知する報知音および特徴画像の表示が終了したことを報知する終了音を通知音として出力している。ユーザは、通知音を認識ことによって特徴画像の表示の予測および特徴画像の表示の終了を把握することが可能となり、特徴画像を見逃すことなく特徴画像をもととした診断を正確に行うことができる。
【００５４】
なお、実施の形態１にかかる画像表示装置４は、図５において、特徴画像の前後５フレームの画像の表示時に予告音および終了音を出力する場合について説明したが、特徴画像の前後のフレーム番号を有する所定数の画像が表示される間、または、特徴画像の表示時の前後の所定時間の間、予告音および終了音を出力すれば足りる。また、音声制御部５２は、予告音および終了音の出力期間を表示部３０に表示される画像の表示レートに対応して自動的に設定してもよく、また、予告音および終了音の出力期間を指示する入力部２０からの指示情報をもとに設定してもよい。
【００５５】
また、実施の形態１にかかる画像表示装置４は、表示される画像のフレーム番号にしたがって予告音の音量を段階的に上げ、終了音の音量を段階的に下げるほか、特徴画像が表示される所定時間前から徐々に予告音の音量を上げ、特徴画像の表示後の所定時間の間に徐々に終了音の音量を下げてもよい。
【００５６】
また、画像表示装置４は、予告音、報知音および終了音の音程をそれぞれ変化させて出力してもよい。たとえば、図６に示すように、音声出力部６０は、期間Ｔｂにおいて、表示部３０に表示される画像フレーム番号が特徴画像のフレーム番号に近づくにしたがって予告音の音程を段階的に高くして出力する。たとえば、音声出力部６０は、特徴画像の５フレーム前のフレーム番号「５」の画像が表示された場合に、段階「Ｌ１」の音程で予告音の出力を開始する。つぎに、音声出力部６０は、フレーム番号「６」の画像が表示された場合、音程段階を「Ｌ１」から「Ｌ２」に上げる。そして、音声出力部６０は、特徴画像であるフレーム番号「１０」の画像が表示される期間Ｔｃの間、最大段階「Ｌ６」の音程で所定の報知音を出力する。さらに、音声出力部６０は、表示部３０に表示される画像のフレーム番号が特徴画像のフレーム番号から離れるにしたがって音程を段階的に低くして、所定の終了音を出力する。具体的には、音声出力部６０は、特徴画像の表示後に、フレーム番号「１１」の画像が表示された場合、音程段階を「Ｌ６」から「Ｌ５」に下げた終了音を出力する。その後、音声出力部６０は、フレーム番号「１２」の画像が表示された場合、音程段階を「Ｌ５」から「Ｌ４」に低くする。このように、画像表示装置４は、音程を段階的に上げた予告音および音程を段階的に下げた終了音を出力して、特徴画像の表示の予告および特徴画像の表示の終了を報知してもよい。
【００５７】
また、音声制御部５３は、音量および音程にかぎらず、出力する音声の音色を段階的に変化させた予告音、報知音および終了音を音声出力部６０に出力させてもよい。さらに、音声制御部５３は、図７に示すように、それぞれ音声出力パターンで予告音、報知音および終了音を音声出力部６０に出力させてもよい。図７は、表示部３０に表示される画像のフレーム番号と音声出力部６０から出力される音声のオン状態またはオフ状態との関係を示す図である。図７は、フレーム番号「１０」の画像が特徴画像であり、特徴画像の３フレーム前の画像表示間Ｔｆに予告音が出力され、特徴画像の３フレーム後の画像表示間Ｔｈに終了音が出力される場合について示している。
【００５８】
図７の期間Ｔｆにおいて、音声出力部６０は、表示部３０に表示される画像フレーム番号が特徴画像のフレーム番号に近づくにしたがって出力間隔を短縮して予告音を出力する。たとえば、音声出力部６０は、特徴画像の３フレーム前のフレーム番号「７」の画像が表示される間、予告音を１回出力させる。つぎに、音声出力部６０は、フレーム番号「８」の画像が表示される間、予告音を２回出力し、フレーム番号「９」の画像が表示される間、予告音を３回出力する。そして、音声出力部６０は、特徴画像であるフレーム番号「１０」の画像が表示される期間Ｔｇにおいて、継続して所定の報知音を出力する。さらに、音声出力部６０は、表示部３０に表示される画像のフレーム番号が特徴画像のフレーム番号から離れるにしたがって出力間隔を伸長して終了音を出力する。特徴画像の表示後の期間Ｔｈにおいて、音声出力部６０は、フレーム番号「１１」の画像が表示される間、終了音を３回出力する。その後、音声出力部６０は、フレーム番号「１２」の画像が表示される間、終了音を２回出力し、フレーム番号「１３」の画像が表示される間、終了音を１回出力する。画像表示装置４は、特徴画像と表示部３０に表示されている画像との表示間隔に応じて、音量、音程、音色または音声出力パターンを変えて、特徴画像の表示の予測および特徴画像の表示の終了を報知すれば足りる。
【００５９】
このように、画像表示装置４では、予告音、報知音および終了音の音量、音程、音色または音声出力パターンのうち少なくとも一つが異なっていれば足りる。予告音、報知音および終了音の音量、音程、音色または音声出力パターンのうち少なくとも一つが異なっていれば、ユーザは、出力された音声が、予告音、報知音および終了音のいずれであるかを認識することができ、特徴画像の表示の予測、特徴画像の表示の終了を把握することができるためである。
【００６０】
また、画像表示装置４は、予告音、報知音および終了音の音量、音程、音色および音声出力パターンのいずれかを変化させるほか、予告音、報知音および終了音の音量、音程、音色および音声出力パターンをそれぞれ組み合わせて変化させてもよい。
【００６１】
さらに、画像表示装置４では、図５〜図７において、単数の特徴画像が表示される場合について説明したが、複数の特徴画像が狭い間隔で表示される場合も、各特徴画像と表示部３０に表示されている画像との表示間隔に応じて、予告音、報知音および終了音の音量、音程、音色、音声出力パターンあるいはこれらの組み合わせを変えてもよい。
【００６２】
たとえば、図８に示すように、フレーム番号「１０」およびフレーム番号「１６」の画像が特徴画像である場合を例に、音量段階を変化させ、予告音および終了音を出力する場合について説明する。
【００６３】
音声出力部６０は、フレーム番号「１０」の特徴画像が表示される前の期間Ｔｂ１において、図５の期間Ｔｂに示した場合と同様に、表示部３０に表示される画像のフレーム番号が進むにしたがって音量を段階的に上げて予告音を出力する。そして、音声出力部６０は、フレーム番号「１０」の特徴画像が表示される期間Ｔｃ１において、最大段階「Ｖ６」の音量で報知音を出力させる。その後、音声出力部６０は、フレーム番号「１６」の特徴画像が表示されるまでの期間のうち、フレーム番号「１１」〜「１３」の画像が表示される期間Ｔｄ１において、表示部３０に表示される画像が進むにしたがって音量を段階的に下げて終了音を出力し、フレーム番号「１０」の特徴画像の表示が終了したことを報知する。そして、音声出力部６０は、フレーム番号「１４」，「１５」の画像が表示される期間Ｔｂ２において、表示部３０に表示される画像が進むにしたがって、音量を段階的に上げて予告音を出力し、フレーム番号「１６」の特徴画像がこれから表示されることを予告する予告音を出力する。その後、音声出力部６０は、フレーム番号「１６」の特徴画像が表示される期間Ｔｃ２において、最大段階「Ｖ６」の音量で報知音を出力し、特徴画像が表示されていることを報知する。そして、音声出力部６０は、フレーム番号「１７」〜「２２」の画像が表示される期間Ｔｄ２において、音量を段階的に下げた終了音を出力し、ユーザに２枚目の特徴画像の表示が終了したことを報知する。また、画像表示装置４は、音量を段階的に変化させた場合に限らず、図９に示すように、音程を段階的に変化させた予告音および終了音を出力して、複数の特徴画像が表示されることを報知してもよい。このように、画像表示装置４は、複数の特徴画像が狭い間隔で表示される場合も、各特徴画像と表示部３０に表示されている画像との表示間隔に応じて、予告音、報知音および終了音の音量、音程、音色、音声出力パターンあるいはこれらの組み合わせを変えることによって、特徴画像の表示を予告、特徴画像の表示の終了をユーザに報知してもよい。
【００６４】
また、音声制御部５３は、特徴画像における画像処理部５１によって取得された特徴量に対応した音量、音程、音色、音声出力パターンあるいはこれらの組み合わせで、予告音、報知音および終了音を出力してもよい。たとえば、音声制御部５３は、図１０に示すように、赤色レベル値が「８」であるフレーム番号「８」の特徴画像が表示される期間Ｔｃ１において、赤色レベル値「８」に対応する音量段階「Ｖ８」で報知音を音声出力部６０に出力させる。また、音声制御部５３は、赤色レベル値が「１０」であるフレーム番号「１８」の特徴画像が表示される期間Ｔｃ２において、赤色レベル値「１０」に対応する音量段階「Ｖ１０」で報知音を音声出力部６０に出力させる。この場合、ユーザは、報知音の音量の強弱によって、表示部３０に表示されている特徴画像の赤色レベル値の高低を把握することができる。なお、音声制御部５３は、報知音の音量段階に応じて、予告音および終了音の音量を段階的に増減すればよい。
【００６５】
また、画像処理部５１が、複数の閾値を設け、画像群Ｐａから各閾値に基づく特徴量を有する画像を特徴画像として抽出する場合、音声制御部５３は、画像処理部５１で設けられた各閾値にそれぞれ対応させた音量、音程、音色、音声出力パターンあるいはこれらの組み合わせで、予告音、報知音、終了音を音声出力部６０に出力させてもよい。たとえば、音声制御部５３は、図１１に示すように、第１の閾値Ｔ１に基づく赤色レベル値を有するフレーム番号「８」の特徴画像が表示される期間Ｔｃ１において、第１の閾値Ｔ１に対応する音量段階「Ｖ１０」で報知音を音声出力部６０に出力させてもよい。また、音声制御部５３は、第１の閾値Ｔ１よりも低い値である第２の閾値Ｔ２に基づく赤色レベル値を有するフレーム番号「１８」の特徴画像が表示される期間Ｔｃ２において、第２の閾値Ｔ２に対応する音量段階「Ｖ６」で報知音を音声出力部６０に出力させてもよい。この結果、ユーザは、報知音の音量の強弱によって、表示部３０に表示されている特徴画像の赤色レベル値がいずれの閾値に基づくか否かを把握することができる。なお、音声制御部５３は、報知音の音量段階に応じて、予告音および終了音の音量を段階的に増減すればよい。
【００６６】
また、画像処理部５１が、複数の種別の特徴量を取得し、取得した各特徴量の種別に応じて特徴画像を抽出する場合、音声制御部５３は、画像処理部５１が抽出した特徴画像の種別に応じて音量、音程、音色、音声出力パターンあるいはこれらの組み合わせを変化させた予告音、報知音および終了音を出力してもよい。この場合、ユーザは、予告音、報知音および終了音を認識することによって、表示部３０に表示される特徴画像の種別を予め予測することができ、特徴画像を見逃すことなく正確に確認することができる。なお、特徴量として、赤色レベル値のほか、画像における凹凸部が分布する領域の広さを数値化した凹凸レベル値などがある。
【００６７】
また、本実施の形態１では、通過音として、予告音、報知音および終了音を出力した場合について説明したが、画像表示装置４は、予告音、報知音または終了音の少なくとも一つを通過音として出力してもよい。ユーザは、予告音、報知音、終了音の少なくとも一つを確認することによって、特徴画像の表示を認識することができるためである。また、画像表示装置４は、通過音として、予告音、報知音、終了音の少なくとも二つを組み合わせて出力してもよい。さらに、本実施の形態１にかかる画像表示装置４は、記憶部４０に予告音、報知音および終了音に対応する音声情報を記憶させていてもよい。この場合、音声制御部５３は、記憶部４０に記憶された各音声情報を抽出し、音声出力部６０に出力させることができるため、画像表示装置４は、予告音、報知音および終了音を生成する音声生成部５４を削除した構成とすることができる。
【００６８】
（実施の形態２）
つぎに、実施の形態２について説明する。実施の形態１では、所定の予告音および終了音を出力した場合について説明したが、実施の形態２では、所定の予告振動および終了振動を出力することによって、特徴画像の表示の予告および特徴画像の表示の終了を報知する。
【００６９】
図１２は、実施の形態２にかかる画像表示装置の概略構成を示すブロック図である。図１２に示すように、実施の形態２にかかる画像表示装置２０４は、実施の形態１における制御部５０に代えて、制御部２５０を備え、音声出力部６０に代えて、振動部２６０を備える。制御部２５０は、画像処理部５１、表示制御部５２に加え、振動制御部２５３を備える。振動部２６０は、たとえば、ユーザの手、指などに装着され、振動制御部２５３の制御のもと、所定の振動を発生する。制御部２５０は、制御部５０と同様に機能し、入力部２０、表示部３０、記憶部４０、振動部２６０の各処理または動作を制御する。振動制御部２５３は、たとえば、テーブルＴａを参照し、振動部２６０における振動処理を制御する。振動制御部２５３は、表示制御部５２が表示部３０に特徴画像を表示させる場合に、特徴画像が表示されることを知らせる所定の通知振動を振動部２６０に発生させる。振動制御部２５３は、通知振動として、表示制御部５２が表示部３０に特徴画像を表示させる前に特徴画像の表示を予告する予告振動、表示制御部５２が表示部３０に特徴画像を表示させるときに特徴画像が表示されていることを報知する報知振動、および、表示制御部５２が表示部３０に特徴画像を表示させた後に特徴画像の表示が終了したことを報知する終了振動を振動部２６０に発生させる。
【００７０】
つぎに、図１３を参照して、制御部２５０による各構成部位の制御手順について説明する。図１３において、図３に示すステップＳ１０２〜ステップＳ１０６と同様に、画像処理部５１は、画像情報取得処理（ステップＳ２０２）、特徴画像抽出処理（ステップＳ２０４）を行い、表示制御部５２は、動画像の表示を指示する指示情報受信の判断処理（ステップＳ２０６）を行う。そして、図３に示すステップＳ１０８〜１１４と同様に、表示制御部５２は、画像情報抽出処理（ステップＳ２０８）、特徴画像情報抽出処理（ステップＳ２１０）、フレーム番号の初期化処理（ステップＳ２１２）、画像表示処理（ステップＳ２１４）を行う。その後、振動制御部２５３は、図３に示すステップＳ１１６と同様に、表示部３０に表示された画像が特徴画像または特徴画像の所定数の前後フレームの画像であるかの判断処理（ステップＳ２１６）を行う。
【００７１】
振動制御部２５３は、表示部３０に表示された画像が特徴画像または特徴画像の所定数の前後フレームの画像であると判断した場合（ステップＳ２１６：Ｙｅｓ）、振動部２６０に対して、表示部３０に表示された画像に対応した通過振動を発生させる振動処理を行う（ステップＳ２１８）。振動制御部２５３が表示部３０に表示された画像が特徴画像または特徴画像の所定数の前後フレームの画像でないと判断した場合（ステップＳ２１６：Ｎｏ）、または、振動部２６０における振動処理（ステップＳ２１８）が終了した場合、表示制御部５２は、図３に示すステップＳ１２０と同様に、フレーム加算処理を行う（ステップＳ２２０）。その後、図３に示すステップＳ１２２およびステップＳ１２４と同様に、表示制御部５２は、画像表示終了を指示する指示情報受信の判断処理（ステップＳ２２２）、最終画像表示に対する判断処理（ステップＳ２２４）を行う。表示制御部５２は、画像群Ｐａの最終画像を表示していないと判断した場合（ステップＳ２２４：Ｎｏ）、ステップＳ２１４に進み、画像群Ｐａのうち次に表示対象となる画像を表示部３０に表示させる。
【００７２】
つぎに、図１４を参照して、図１３に示す振動処理について説明する。図１４は、図１３に示す振動処理の処理手順を示すフローチャートである。図１４に示すように、振動制御部２５３は、テーブルＴａと表示部３０に表示された画像のフレーム番号とを参照し、表示部３０に表示された画像が、特徴画像、特徴画像の前フレームの画像または特徴画像の後フレームの画像であるかを判断する（ステップＳ２４２）。振動制御部２５３は、表示部３０に表示された画像が特徴画像の前フレームの画像であると判断した場合（ステップＳ２４２：前フレームの画像）、振動部２６０に対して、通過振動として所定の予告振動を発生させ、振動部２６０は、予告振動を発生し（ステップＳ２４４）、振動処理を終了する。一方、振動制御部２５３は、表示部３０に表示された画像が特徴画像であると判断した場合（ステップＳ２４２：特徴画像）、振動部２６０に対して、通過振動として、所定の報知振動を発生させ、振動部２６０は、報知振動を発生し（ステップＳ２４６）、振動処理を終了する。また、振動制御部２５３は、表示部３０に表示された画像が特徴画像の後フレームの画像であると判断した場合（ステップＳ２４２：後フレームの画像）、振動部２６０に対して、通過振動として、所定の終了振動を発生させ、振動部２６０は、終了振動を発生し（ステップＳ２４８）、振動処理を終了する。
【００７３】
つぎに、振動処理において振動部２６０が発生する予告振動、報知振動および終了振動について具体的に説明する。図１５は、表示部３０に表示される画像のフレーム番号と振動部２６０が発生する振動の強度との関係を示した図である。図１５では、横軸に、表示部３０に表示される画像のフレーム番号を示し、縦軸に、振動部２６０が発生する振動の振動強度段階を示す。振動強度段階が上がるほど、振動部２６０が発生する振動の強度は強くなる。また、図１５では、図５と同様に、フレーム番号「１０」である画像が特徴画像である場合に示し、振動制御部２５３が特徴画像の前後５フレームの画像に対して予告振動、終了振動を振動部２６０に発生する場合を例に示す。
【００７４】
図１５に示すように、期間Ｔａにおいて、振動制御部２５３は、振動部２６０に対して振動の発生を指示せず、振動部２６０は、振動を発生しない。これに対し、振動制御部２５３は、特徴画像が表示される前の期間Ｔｂにおいて、振動部２６０に対して所定の予告振動を発生させる。振動部２６０は、表示部３０に表示される画像のフレーム番号が特徴画像のフレーム番号に近づくにしたがって振動強度を段階的に上げて予告振動を発生する。たとえば、振動部２６０は、特徴画像の５フレーム前のフレーム番号「６」の画像が表示された場合に、段階「Ｓ１」の振動強度で振動を発生する。その後、振動部２６０は、フレーム番号「６」の画像が表示された場合、振動強度の段階を「Ｓ１」から「Ｓ２」に上げて振動を発生する。このように、画像表示装置２０４は、特徴画像が表示される前から、特徴画像の表示を予告する予告振動を発生し、さらに、表示部３０に表示される画像が特徴画像に近づくにしたがって予告振動の強度を段階的に上げることによって、ユーザに特徴画像が表示されることを報知する。
【００７５】
また、振動制御部２５３は、フレーム番号「１０」である特徴画像が表示される期間Ｔｃにおいて、振動部２６０に所定の報知振動を発生させる。振動部２６０は、たとえば、最大段階「Ｓ６」の強度で報知振動を発生する。このように、画像表示装置２０４は、特徴画像が表示された場合に、最大強度で報知振動を発生することによって、ユーザに特徴画像が表示されていることを報知する。
【００７６】
さらに、振動制御部２５３は、特徴画像の後フレームであるフレーム番号「１１」の画像から５フレーム後のフレーム番号「１５」の画像が表示される期間Ｔｄにおいて、振動部２６０に所定の終了振動を発生させる。振動部２６０は、表示部３０に表示される画像のフレーム番号が特徴画像のフレーム番号から離れるにしたがって振動強度を段階的に下げた終了振動を発生する。たとえば、振動部２６０は、特徴画像の後のフレーム番号「１１」の画像が表示された場合、段階「Ｓ６」から「Ｓ５」に強度を下げて終了振動を発生する。その後、振動部２６０は、フレーム番号「１２」の画像が表示された場合、強度段階をさらに「Ｓ４」に下げて終了振動を発生する。このように、画像表示装置２０４は、特徴画像が表示された後、特徴画像の表示が通過したことを報知させる終了振動を発生し、さらに、表示部３０に表示される画像が特徴画像から離れるにしたがって終了振動の強度を段階的に下げることによって、ユーザに特徴画像が表示されたことを報知する。このように、振動制御部２５３は、振動部２６０に発生させる予告振動、報知振動および終了振動の振動強度を、特徴画像と表示部３０に表示されている画像との表示間隔に応じて変えている。
【００７７】
このように、本実施の形態２にかかる画像表示装置２０４は、表示部３０に特徴画像が表示されることを予告する予告振動、特徴画像が表示されていることを報知する特緒画像振動および特徴画像の表示終了したことを報知する終了振動を発生している。ユーザは、予告振動、報知振動および終了振動を受けることによって特徴画像の表示を予測し、特徴画像の表示の終了を把握することができ、特徴画像を見逃すことなく特徴画像をもととした診断を正確に行うことができる。
【００７８】
なお、本実施の形態２では、特徴画像と表示部３０に表示されている画像との表示間隔に応じて、振動部２６０が発生する予告振動、報知振動および終了振動の振動強度を変えた場合について説明したが、予告振動、報知振動および終了振動の強弱パターンを変えてもよい。また、振動制御部２５３は、特徴画像と表示部３０に表示されている画像との表示間隔に応じて振動部２６０が発生する予告振動、報知振動および終了振動の発生間隔を変えてもよい。たとえば、振動制御部２５３は、表示部３０に表示された画像のフレーム番号が特徴画像のフレーム番号に近づくにしたがって、発生間隔を徐々に短縮させて振動部２６０に予告振動を発生させる。そして、振動制御部２５３は、表示部３０に特徴画像が表示されるとき、振動部２６０に報知振動を継続して発生させる。その後、振動制御部２５３は、表示部３０に表示される画像のフレーム番号が特徴画像のフレーム番号から離れるにしたがって、発生感覚を徐々に伸長させて振動部２６０に終了振動を発生させる。
【００７９】
また、本実施の形態２にかかる画像表示装置２０４では、振動制御部２５３は、特徴画像の特徴量に対応した振動強度または発生間隔で報知振動を振動部２６０に発生させてもよい。また、画像処理部５１が、複数の閾値を設け、各閾値に対応させて特徴画像を抽出する場合、振動制御部２５３は、画像処理部５１で設けられた各閾値にそれぞれ対応させた振動強度または発生間隔で、報知振動を振動部２６０に出力させてもよい。なお、振動制御部２５３は、報知振動の振動強度に応じて、予告振動および終了振動の強度を段階的に増減すればよい。また、画像処理部５１が、複数の種別の特徴量を取得し、取得した各特徴量の種別に応じて特徴画像を抽出する場合、振動制御部２５３は、画像処理部５１が抽出した特徴画像の種別に応じた振動強度または発生間隔で、予告振動、報知振動および終了振動を振動部２６０に発生させてもよい。
【００８０】
また、本実施の形態２では、振動の発生部を変化させることによって、特徴画像の表示の予告および特徴画像の表示の通過を報知してもよい。たとえば、画像表示装置２０４が、振動部２６０である振動発生装置を複数備え、ユーザの右手および左手にそれぞれ振動発生装置を装着する場合を例について説明する。たとえば、振動制御部２５３は、ユーザの左手に装着された振動発生装置に、強度を段階的に強くした振動を発生させることによって、特徴画像が表示されることを予告する。また、振動制御部２５３は、左手および右手に装着された双方の振動発生装置に、振動を発生させて特徴画像が表示されていることをユーザに報知し、また、右手に装着された振動発生装置に、振動の強度を段階的に弱くした振動を発生させることによって、特徴画像の表示の終了をユーザに報知する。
【００８１】
また、本実施の形態２では、終了振動として、予告振動、報知振動および終了振動を出力した場合について説明したが、画像表示装置４は、予告振動、報知振動または終了振動の少なくとも一つを終了振動として出力してもよい。ユーザは、予告振動、報知振動、終了振動の少なくとも一つを確認することによって、特徴画像の表示を認識することができるためである。また、画像表示装置４は、終了振動として、予告振動、報知振動、終了振動の少なくとも二つを組み合わせて出力してもよい。また、本実施の形態１，２では、予告音、報知音、終了音の各音声または予告振動、報知振動、終了振動の各振動のいずれかを出力または発生させる場合について説明したが、予告音、報知音、終了音の各音声および予告振動、報知振動、終了振動の各振動の双方を出力および発生させてもよい。この場合、画像表示装置４は、予告音、報知音、終了音の各音声の音量の大小と、予告振動、報知振動、終了振動の各振動の強弱とをそれぞれ対応させてもよい。たとえば、画像表示装置４は、予告振動、報知振動、終了振動の各振動の強弱に合わせて、予告音、報知音、終了音の音量を大きく、または、小さくする。また、画像表示装置４は、予告音、報知音、終了音の各音声における音程の高低、音色の変化、音声出力パターンの出力間隔を、予告振動、報知振動、終了振動の各振動の強弱、あるいは、強弱パターン、発生間隔に合わせてもよい。なお、この場合、画像表示装置４は、さらに、振動制御部２５３、振動部２６０を備える必要がある。
【００８２】
また、上記実施の形態１，２で説明した画像表示装置４，２０４は、あらかじめ用意されたプログラムをパーソナル・コンピュータやワークステーションなどのコンピュータシステムで実行することによって実現することができる。以下、上記実施の形態で説明した画像表示装置と同様の機能を有する画像表示プログラムを実行するコンピュータシステムについて説明する。
【００８３】
図１６は、上述した実施の形態を用いたコンピュータシステムの構成を示すシステム構成図であり、図１７は、このコンピュータシステムにおける本体部の構成を示すブロック図である。図１６に示すように、本実施の形態１，２にかかるコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００８４】
また、このコンピュータシステム１００における本体部１０１は、図１７に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００８５】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２、プリンタ１１３などが接続される。
【００８６】
そして、このコンピュータシステム１００は、所定の記録媒体に記録された画像表示プログラムを読み出して実行することで画像表示装置を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な画像表示プログラムを記録する、あらゆる記録媒体を含むものである。
【００８７】
すなわち、画像表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から画像表示プログラムを読み出して実行することで画像表示装置および画像表示方法を実現する。なお、画像表示プログラムは、コンピュータシステム１００によって実行されることに限定されるものではなく、他のコンピュータシステム１１１またはサーバ１１２が画像表示プログラムを実行する場合や、これらが協働して画像表示プログラムを実行するような場合にも、本発明を同様に適用することができる。
【図面の簡単な説明】
【００８８】
【図１】実施の形態１における被検体内情報取得システムの全体構成を示す模式図である。
【図２】実施の形態１にかかる画像表示装置の概略構成を示すブロック図である。
【図３】図２に示す制御部による画像処理手順を示すフローチャートである。
【図４】図３に示す音声出力処理の処理手順を示すフローチャートである。
【図５】表示部に表示される画像のフレーム番号と音声出力部から出力される音声の音量段階との関係を示した図である。
【図６】表示部に表示される画像のフレーム番号と音声出力部から出力される音声の音程段階との関係を示した図である。
【図７】表示部に表示される画像のフレーム番号と音声出力部から出力される音声出力パターンとの関係を示した図である。
【図８】表示部に表示される画像のフレーム番号と音声出力部から出力される音声の音量段階との関係を示した図である。
【図９】表示部に表示される画像のフレーム番号と音声出力部から出力される音声の音程段階との関係を示した図である。
【図１０】表示部に表示される画像のフレーム番号と音声出力部から出力される音声の音量段階との関係を示した図である。
【図１１】表示部に表示される画像のフレーム番号と音声出力部から出力される音声の音量段階との関係を示した図である。
【図１２】実施の形態２にかかる画像表示装置の概略構成を示すブロック図である。
【図１３】図１２に示す制御部による画像処理手順を示すフローチャートである。
【図１４】図１３に示す振動処理の処理手順を示すフローチャートである。
【図１５】表示部に表示される画像のフレーム番号と振動部から出力される振動の強度段階との関係を示した図である。
【図１６】実施の形態１，２を用いたコンピュータシステムの構成を示す構成図である。
【図１７】図１６に示したコンピュータシステムにおける本体部の構成を示すブロック図である。
【符号の説明】
【００８９】
１  被検体
２  受信装置
２ａ  受信ジャケット
２ｂ  外部装置
４，２０４  画像表示装置
５  携帯型記録媒体
２０  入力部
３０  表示部
４０  記憶部
５０，２５０  制御部
５１  画像処理部
５２  表示制御部
５３  音声制御部
５４  音声生成部
６０  音声出力部
２５３  振動制御部
２６０  振動部
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡＮ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインターフェース
【図１】
2006129950.tif 000003
【図２】
2006129950.tif 000004
【図３】
2006129950.tif 000005
【図４】
2006129950.tif 000006
【図５】
2006129950.tif 000007
【図６】
2006129950.tif 000008
【図７】
2006129950.tif 000009
【図８】
2006129950.tif 000010
【図９】
2006129950.tif 000011
【図１０】
2006129950.tif 000012
【図１１】
2006129950.tif 000013
【図１２】
2006129950.tif 000014
【図１３】
2006129950.tif 000015
【図１４】
2006129950.tif 000016
【図１５】
2006129950.tif 000017
【図１６】
2006129950.tif 000018
【図１７】
2006129950.tif 000019